(57)【要約】【課題】携帯者が発作を起こした際に必要な救急用医薬品と、携帯者の個人情報と共に医療情報を格納したＵＳＢメモリ装置を、携帯可能に一体収納できる救命救急のための携帯用収納具を提供する。【解決手段】主収納部と蓋部から形成された救命救急のための携帯用収納具であって、携帯者の個人情報と共に医療情報を格納したＵＳＢメモリ装置を収納する中央収納スペースと、前記携帯者の救急用医薬品を収納する医薬品収納スペースとを設けたことを特徴とする。【選択図】図１
0003134988.tif 000002
【実用新案登録請求の範囲】
【請求項１】
金属又はプラスチック素材により形成された主収納部と蓋部とから形成された救命救急のための携帯用収納具であって、
前記主収納部は、
携帯者の個人情報と共に医療情報を格納したＵＳＢメモリ装置を収納する中央収納スペースと、
前記中央収納スペースの両側に設けられ、当該携帯者の救急用医薬品を収納する医薬品収納スペースと、を有する救命救急のための携帯用収納具。
【請求項２】
前記主収納部と前記蓋部は、円筒形状を成す請求項１に記載の救命救急のための携帯用収納具。
【請求項３】
前記主収納部と前記蓋部は、円筒と矩形筒を組み合わせた形状を成す請求項１に記載の救命救急のための携帯用収納具。
【請求項４】
前記蓋部に、紐を通すための吊り手を設けた請求項１乃至３に記載の救命救急のための携帯用収納具。
【請求項５】
前記主収納部の中央に固定され、内部には前記ＵＳＢメモリ装置を収納する中央収納スペース、更にその両側には前記医薬品収納スペースを画成し、前記ＵＳＢメモリ装置を安定に保持するメモリホルダーを備えた請求項１乃至４に記載の救命救急のための携帯用収納具。
【請求項６】
前記蓋部は前記主収納部と螺子構造により着脱可能に装着される請求項１乃至５に記載の救命救急のための携帯用収納具。
【考案の詳細な説明】
【技術分野】
【０００１】
本考案は、救命救急のための携帯用収納具に係り、特に、救急用医薬品と共に携帯者の個人情報及び医療情報を格納したＵＳＢメモリ装置を携帯できる救命救急のための携帯用収納具に関する。
【背景技術】
【０００２】
従来、医薬品の携帯用収納具は、主に、定期的な投薬を必要とする人及び突発的に生命に関わるような発作に襲われる可能性のある持病（例えば、狭心症、糖尿病、癲癇、喘息等）のある人に利用されている。
【０００３】
上記のような医薬品の携帯用収納具としては、必要な医薬品を一回服用分ずつ分けて収納できるものや、医薬品のほか病院の診察券や健康保険証等を収納できるもの等がこれまでに普及している。
【０００４】
例えば、特許文献１には、医薬品を簡単に仕分けして収納できる薬収納構造と、病院の診察券や健康保険証等を入れるためのカード収納構造とを一体化した救急薬・診察券等の一体収納容器が開示されている。
【０００５】
また、特許文献２には、１日分または管理サイクル分の薬を服用回数に分けて収納可能にすると共に、全体をポケット等に収納できる棒状（ペン等の疑似形状）の薬の携帯容器が開示されている。
【０００６】
さらに、特許文献３には、腕時計の本体に開閉可能な蓋を有する薬剤収納部を一体構造として設けた腕時計が開示されている。
【特許文献１】特開２００７−５４５８５号公報
【特許文献２】特開２００６−２３９３２８号公報
【特許文献３】実用新案登録第３００１５７９号公報
【考案の開示】
【考案が解決しようとする課題】
【０００７】
しかしながら、上記のような医薬品の携帯用収納具は、診察券や健康保険証等を入れるスペースに限りがあるため、その情報量には制約があった。即ち、携帯者の個人情報のほか、診断情報、治療情報、病歴情報、薬歴情報から成る医療情報を、医薬品と共にコンパクトな形で携帯することは困難であった。
【０００８】
そのため、携帯者が発作を起こした場合に、応急処置や救命治療に当たる者が、真に有効、適切な処置や治療を行えない恐れがあるばかりか、その処置や治療に過誤が生じる可能性も高くなる。
【０００９】
本考案は、上記従来の問題点に鑑みて、携帯者が発作を起こした際に必要な救急用医薬品と、携帯者の個人情報と共に医療情報を格納したＵＳＢメモリ装置を、携帯可能に一体収納できる救命救急のための携帯用収納具を提供することを目的とする。
【課題を解決するための手段】
【００１０】
本考案は、上記課題を解決するために、金属又はプラスチック素材により形成された主収納部と蓋部とから形成された救命救急のための携帯用収納具であって、前記主収納部は、携帯者の個人情報と共に医療情報を格納したＵＳＢメモリ装置を収納する中央収納スペースと、前記中央収納スペースの両側に設けられ、当該携帯者の救急用医薬品を収納する医薬品収納スペースと、を有する救命救急のための携帯用収納具を提供する。
【００１１】
このように構成することにより、救急用医薬品を携帯者に即座に投薬できると共に、ＵＳＢメモリ装置に格納された情報により有効かつ適切な処置や治療を迅速に行うことが可能となる。
【００１２】
また、上記救命救急のための携帯用収納具において、前記主収納部と前記蓋部は、円筒形状を成すようにする。
【００１３】
このように構成することにより、救命救急のための携帯用収納具の収納量の増加とコンパクト化を実現することが可能となる。
【００１４】
また、上記救命救急のための携帯用収納具において、前記主収納部と前記蓋部は、円筒と矩形筒を組み合わせた形状を成すようにする。
【００１５】
このように構成することにより、救命救急のための携帯用収納具の収納量の増加とコンパクト化を実現することが可能となる。
【００１６】
さらに、上記救命救急のための携帯用収納具において、前記蓋部に、紐を通すための吊り手を設けるようにする。
【００１７】
このように構成することにより、救命救急のための携帯用収納具を首に提げることやキーホルダー状にすること等が可能になり、携帯性をより向上させることができる。
【００１８】
また、上記救命救急のための携帯用収納具において、前記主収納部の中央に固定され、内部には前記ＵＳＢメモリ装置を収納する中央収納スペース、更にその両側には前記医薬品収納スペースを画成し、前記ＵＳＢメモリ装置を安定に保持するメモリホルダーを備えるようにする。
【００１９】
このように構成することにより、救急用医薬品とＵＳＢメモリ装置のそれぞれのスペースを確保し、また安定に保持することで振動や衝撃に対する耐性を向上させることができる。
【００２０】
また、上記救命救急のための携帯用収納具において、前記蓋部は前記主収納部と螺子構造により着脱可能に装着されるようにする。
【００２１】
このように構成することにより、嵌合による着脱より摩耗に強くすることができる。
【考案の効果】
【００２２】
本考案によれば、携帯者が発作を起こした際に必要な救急用医薬品と、携帯者の個人情報と共に医療情報を格納したＵＳＢメモリ装置を、携帯可能に一体収納できるため、救急用医薬品を携帯者に即座に投薬できると共に、ＵＳＢメモリ装置に格納された情報により有効かつ適切な処置や治療を迅速に行うことが可能となる。
【考案を実施するための最良の形態】
【００２３】
以下、本考案の実施の形態について、図面を参照しながら詳細に説明する。
【００２４】
図１は、本考案の実施形態に係る救命救急のための携帯用収納具の構成図であり、図１（ａ）はその平面図、図１（ｂ）はその側面透視図である。
これらの図に示すように、本考案の救命救急のための携帯用収納具１は、収納具本体１０と収納具上蓋１３とから形成される。さらに、収納具本体１０の中央にはメモリホルダー１２が固定されており、これにより収納具本体１０内部においては、医薬品収納スペース１１Ａ，１１Ｂ（メモリホルダー１２の両側）とＵＳＢメモリ収納スペース１１Ｃ（メモリホルダー１２の内部）とが形成されている。
【００２５】
また、収納具上蓋１３の上部には吊り手１４が設けられ、この吊り手１４に紐等を通すことで携帯用収納具１を首や持ち物に提げて携帯できるようになっている。なお、吊り手１４がある場合でも、ポケットや鞄に収納可能なコンパクトなサイズを有するものとする。
【００２６】
収納部本体１０及び収納部上蓋１３は、金属又はプラスチック素材より形成される。
【００２７】
また、メモリホルダー１２は、金属、プラスチック、硬化紙、皮革、ゴム等の素材より成り、ＵＳＢメモリを安定に保持できる構造となっている。即ち、ＵＳＢメモリの形状及びサイズを考慮しその出し入れを容易に可能にすると共に、挿入されたＵＳＢメモリが安定する構造を有するものとする。さらに、メモリホルダー１２の内側をゴム、プラスチック、皮革等よりなる保護材で被覆して、ＵＳＢメモリを振動や衝撃から護るようにしても良い。
【００２８】
収納されたＵＳＢメモリには、携帯者の個人情報のほか、携帯者に対する応急処置や救命治療等に必要な医療情報（診断情報、治療情報、病歴情報、薬歴情報）が格納されている。また、各種の診察券や健康保険証等の情報が記録されていても良い。
【００２９】
医薬品収納スペース１１Ａ，１１Ｂには、例えば、狭心症、糖尿病、癲癇、喘息等の応急処置に必要となる医薬品（狭心症の場合はニトログリセリン、糖尿病の場合はインシュリン、癲癇の場合は気付薬、喘息の場合は各種エアロゾル、等）を収納する。
【００３０】
収納具本体１０の外側には雄螺子が形成され、また収納具上蓋１３の内側には収納具本体１０の雄螺子が螺合するための雌螺子が形成されており、これにより両者は着脱可能に接合される。収納具本体１０と収納具上蓋１３の接合は、いずれか一方に凸部、他方に凹部を設けた嵌合により行っても良いが、凸部の摩耗による脱落の可能性があるため、上記の螺子構造による接合がより好ましい。なお、図とは逆に収納具上蓋１３側に雄螺子、収納具本体１０側に雌螺子を切っても良い。
【００３１】
収納具本体１０は、底部を有する筒状に形成され、その断面形状は円が好ましいが、これに限らず、ポケットや鞄に収納することが可能なサイズと形状であれば、例えば楕円や矩形のほか任意の多角形、あるいはそれらを組み合わせた形状であっても良い。
【００３２】
図２は、本考案の実施形態に係る救命救急のための携帯用収納具の他の平面構造を示す図である。
この実施形態では、携帯用収納具２は矩形と円形を組み合わせた形状の収納具本体２０及び収納具上蓋（図示なし）により構成されている。さらに、収納具本体２０の中央にはメモリホルダー１２が固定されており、これにより収納具本体２０内部においては、医薬品収納スペース２１Ａ，２１Ｂ（メモリホルダー１２の両側）とＵＳＢメモリ収納スペース２１Ｃ（メモリホルダー１２の内部）とが形成されている。
【００３３】
図３は、本考案の実施形態に係る救命救急のための携帯用収納具の側面に描かれたデザインの一例を示す図である。
この図では、デザインの例として、収納具本体１０の側面に「救命用品」と書かれた救急車の図柄と、「救命薬」と「ＵＳＢメモリ」という文字が描かれている。
【００３４】
このように、携帯用収納具１には、応急処置や救命治療に当たる者に一目で内容物を把握させるような分かり易い表示を施すことが望ましい。なお、このような図柄や文字は、夜間や暗所での視認性を高めるため、蛍光塗料で描かれても良い。
【００３５】
以上、本考案の実施形態について説明したが、本考案は上記実施形態に限定されるものではなく、本考案の趣旨に基づき種々の変形が可能であり、これらを本考案の範囲から排除するものではない。
【産業上の利用可能性】
【００３６】
本考案は、救命救急のための携帯用収納具に係り、特に、救急用医薬品と共に携帯者の個人情報及び医療情報を格納したＵＳＢメモリ装置を携帯できる救命救急のための携帯用収納具に関するものであり、産業上の利用可能性を有する。
【図面の簡単な説明】
【００３７】
【図１】本考案の実施形態に係る救命救急のための携帯用収納具の構成図であり、図１（ａ）はその平面図、図１（ｂ）はその側面透視図である。
【図２】本考案の実施形態に係る救命救急のための携帯用収納具の他の平面構造を示す図である。
【図３】本考案の実施形態に係る救命救急のための携帯用収納具の側面に描かれたデザインの一例を示す図である。
【符号の説明】
【００３８】
１，２  携帯用収納具
１０，２０  収納具本体
１１Ａ，１１Ｂ，２１Ａ，２１Ｂ  医薬品収納スペース
１１Ｃ，２１Ｃ  ＵＳＢメモリ収納スペース
１２  メモリホルダー
１３  収納具上蓋
１４  吊り手
【図１】
0003134988.tif 000003
【図２】
0003134988.tif 000004
【図３】
0003134988.tif 000005